(57)【特許請求の範囲】
【請求項１】
商品情報を入力する入力手段と、
この入力手段で入力された商品情報の金額を表示する表示手段と、
電子マネーの情報をＩＣチップから読み取るＩＣリーダライタと、
前記入力手段で入力された商品情報について、前記ＩＣリーダライタにより読み取った電子マネーの情報により決済する決済手段と
を有する商品情報処理装置において、
所定の操作によるモード変更により、前記商品情報処理装置のモードが、商品の販売を行う登録モードから、前記商品処理装置に対する設定を行う設定モード、又は前記商品情報の入力が禁止される休止モードに変更された状態で、前記ＩＣリーダライタで電子マネー情報を含んだＩＣチップを認識したならば、そのＩＣチップに含まれている電子マネー情報を取得し、その電子マネーの残高を前記表示機に表示する電子マネー残高表示手段
を備えた商品情報処理装置。
【請求項２】
商品の決済を行う商品情報処理装置であって
非接触でＩＣチップの電子マネー情報を読み取り可能なＩＣリーダライタと、
表示機と、
商品情報を入力可能な入力手段と、
前記商品情報処理装置のモードを、商品の販売を行う登録モードと、前記商品処理装置に対する設定を行う設定モードと、前記商品情報の入力が禁止される休止モードのうちのいずれかに切り替えるモード切替手段と、
前記登録モードにおいて、前記入力手段で入力された商品情報を前記ＩＣリーダライタで読み取った電子マネー情報で決済する決済手段と、
前記モード切替手段により、前記商品情報処理装置のモードが、前記設定モード又は前記休止モードに切り替わったとき、前記ＩＣリーダライタで前記ＩＣチップに記憶されている電子マネーを認識する認識手段と、
前記商品情報処理装置のモードが、前記設定モード又は前記休止モードに切り替わったときに、前記認識手段で認識した前記電子マネーのＩＣチップに記憶されている残高を照会する照会手段と、
前記商品情報処理装置のモードが、前記設定モード又は前記休止モードに切り替わったときに、前記照会手段で照会したＩＣチップの電子マネー残高を前記表示機に表示する残高表示手段と
を備えた商品情報処理装置。
【請求項３】
利用可能な電子マネーのサービス情報を持ち、前記ＩＣチップに利用されてないサービスがあったならば、利用されていないサービスについて利用してないことを前記表示機に表示する
請求項１または請求項２記載の商品情報処理装置。
【請求項４】
利用を促進する電子マネーのサービス情報を持ち、前記ＩＣチップにこの促進するサービスの情報がないならば、前記表示機に利用を促進するサービスが使用可能であることの表示を行う
請求項１または請求項２記載の商品情報処理装置。
【請求項５】
前記利用を促進するサービスの利用を行える情報の在りかを出力する
請求項４記載の商品情報処理装置。
【請求項６】
非接触でＩＣチップの情報を読み取り可能なＩＣリーダライタと表示機とを備え、電子マネーにより商品の決済を行う商品情報処理装置のプログラムにおいて、
前記商品処置装置のモードが、商品の販売を行う登録モードから、前記商品処理装置に対する設定を行う設定モード、又は前記商品情報の入力が禁止される休止モードに変更された状態で、
コンピュータを、
前記ＩＣリーダライタを介して前記ＩＣチップに記憶される電子マネーの情報を認識する認識手段、
前記認識手段で認識した電子マネーの残高情報を取得する取得手段、
前記取得手段で取得した電子マネーのすべての残高情報を前記表示機に表示する表示手段、
として機能させるためのプログラム。
【発明の詳細な説明】
【技術分野】
【０００１】
本発明の実施形態は、電子マネーに対応したＩＣカードリーダライタを備えた商品情報処理装置およびそのプログラムに関する。
【背景技術】
【０００２】
非接触型のＩＣ（Ｉｎｔｅｇｒａｔｅｄ  Ｃｉｒｃｕｉｔ）チップに金額情報（電子マネー情報）を記憶し、このＩＣチップを備えたカードや携帯電話を用いて支払いの決済を、現金の授受をなくして電子的に行うものが知られている。この電子マネーのサービス（種別）は交通系、流通系など複数存在している。このような電子マネーのサービスでは携帯電話でも利用可能であり、携帯電話のＩＣチップに複数のサービスの電子マネーを記憶できるようになっている。
【０００３】
ところで、このようなＩＣチップに記憶された電子マネー情報の残金を確認するには、たとえば専用の端末を用いて行っている。しかし、専用の端末ではある特定のサービスの電子マネーの残高などの情報を知ることができるが、他のサービスの電子マネー情報については知ることができない。
【０００４】
そこで、決済を行う際に、ＩＣチップから複数のサービスが提供する電子マネー情報を読み取って表示し、表示したサービスを選択することにそのサービスでの決済が行える端末がある。
【先行技術文献】
【特許文献】
【０００５】
【特許文献１】特開２００８−３１０４５７号公報
【発明の概要】
【発明が解決しようとする課題】
【０００６】
このような端末では、決済するときにはじめて各サービスの電子マネーの残高がわかる、あるいは、店員に電子マネー残高の照会を行って残高を確認してもらう必要があるため、利用者が残高を知るにはきわめてわずらわしいことである。
【課題を解決するための手段】
【０００７】
この実施形態においては、商品情報を入力する入力手段と、この入力手段で入力された商品情報の金額を表示する表示手段と、電子マネーの情報をＩＣチップから読み取るＩＣリーダライタと、前記入力手段で入力された商品情報について、前記ＩＣリーダライタにより読み取った電子マネーの情報により決済する決済手段とを有する商品情報処理装置において、所定の操作によるモード変更により、前記商品情報処理装置のモードが、商品の販売を行う登録モードから、前記商品処理装置に対する設定を行う設定モード、又は前記商品情報の入力が禁止される休止モードに変更された状態で、前記ＩＣリーダライタで電子マネー情報を含んだＩＣチップを認識したならば、そのＩＣチップに含まれている電子マネー情報を取得し、その電子マネーの残高を前記表示機に表示する電子マネー残高表示手段を備えた商品情報処理装置とした。
【図面の簡単な説明】
【０００８】
【図１】この実施の形態のＰＯＳ端末を店員側から見た斜視図。
【図２】このＰＯＳ端末を客側から見た斜視図。
【図３】ＰＯＳ端末の電気的接続を示すブロック図。
【図４】ＰＯＳ端末が実行する処理を示すフローチャート。
【図５】ＰＯＳ端末の表示例を示す図。
【発明を実施するための形態】
【０００９】
以下、図１ないし図５を用いて、この実施の形態の商品情報処理装置としてのＰＯＳ端末１を説明する。図１はＰＯＳ（Ｐｏｉｎｔ  ｏｆ  Ｓａｌｅｓ）端末１を店員側から見た斜視図、図２はＰＯＳ端末を客側から見た斜視図、図３はＰＯＳ端末の電気的接続を示すブロック図。図４はＰＯＳ端末が実行する処理を示すフローチャート。図５はＰＯＳ端末の表示例を示す図である。
【００１０】
ＰＯＳ端末１は、コンビニエンスストアで用いられる店員と客との間にあるカウンターの上に置かれるものである。ＰＯＳ端末１は、店員側に店側表示機２、鍵スイッチ３および多数のキー４を備えたキーボード５、レシート排紙口６、また、レシート排紙口６の近傍に置かれたバーコードリーダ７が設けられている。また、ＰＯＳ端末１の下部には現金などを収納するドロワ８が設けられている。ＰＯＳ端末１の客側には、客側表示機９とＩＣカードの情報を読み取るＩＣカードリーダライタ（図では、ＩＣカードＲ／Ｗと示す）１０が設けられている。
【００１１】
鍵スイッチ３は詳細な説明は省略するが、商品の販売を行う登録モード、各種設定を行う設定モード、キーを押してもデータが入力されない休止モードなどを、鍵スイッチ３に差し込んだキーをまわすことで、モードを簡単に変更することができる。ちなみに、休止モードは、パソコンの休止やスタンバイの状態とは異なり、鍵スイッチ３を回したらすぐに登録モード、設定モードで使えるようにする必要があるため、キー入力やバーコードリーダでの読み取りはが行えないが、後述する回路は動作している状態である。このため、休止状態において、客側表示機９にキャンペーン情報やお勧め商品などを表示可能である。
【００１２】
次に、ＰＯＳ端末１の電気的接続を説明する。ＣＰＵ（Ｃｅｎｔｒａｌ  Ｐｒｏｃｅｓｓｉｎｇ  Ｕｎｉｔ）１１に、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、表示制御部１４、プリンタ制御部１５、ドロワ制御部１６、ハードディスク制御部（図では、ＨＤＤ制御部と示す）１７、コードリーダ制御部１８、キー制御部１９およびカードリーダ制御部２０がバスライン２１により接続されている。また、バスライン２１を介して、このＰＯＳ端末１が商品の価格などを問い合わせるサーバ２３と通信回線２４を介して通信を行うための通信インターフェース（図では、通信Ｉ／Ｆと示す）２５が接続されている。
【００１３】
ＲＯＭ１２は、このＰＯＳ端末１の起動時に用いるソフトウェアなどを記憶している。ＲＡＭ１３は、各種ワークエリアとして用いられる。表示制御部１４は、店員側に設けられた店側表示機２と客側に設けられた客側表示機９を制御する。プリンタ制御部１５は、商品の売り上げレシートをプリンタ２６で印刷する。ドロワ制御部１６は、客が買い物を終了して現金の授受が行われる際に、キー４の入力に応じてドロワ８を開放する。ハードディスク制御部１７は、ＯＳやアプリケーションなどを保存するハードディスク装置（図では、ＨＤＤと示す）２７のデータを読み取り、また、書き込みを行う。
【００１４】
コードリーダ制御部１８は、バーコードリーダ８を制御し、バーコードリーダ８が読み取った商品に付されたバーコード情報をＰＯＳ端末１に取り込む。キー制御部１９は、鍵スイッチ３と配列された複数のキー４からなるキーボード５の入力などを制御する。カードリーダ制御部２０は、ＩＣカードリーダライタ１０を制御して、たとえば携帯電話２８に内蔵されているＩＣチップ２９（図中、一点鎖線で表す）のデータを読み取り、または、ＩＣチップ２９にデータの書き込みを非接触で行う。ここで、非接触とは、電気的に接触していないという意味であって、携帯電話２８がＩＣカードリーダに実際に接触しないことを意味するものではない。通信インターフェース２５は、たとえばサーバ２３に商品の単価を問い合わせるときに、通信回線２４を介してサーバ２３と通信する。
【００１５】
なお、このＰＯＳ端末１には、このＰＯＳ端末１で決済が可能なサービスが事前に決められて、ハードディスク装置２７に記憶されている。利用可能なサービスを増やすためには、そのサービスを提供する業者からＩＣチップ２９に含まれる情報と通信を行うための通信プロトコルの提供を受ける必要がある。さらには、このＰＯＳ端末１には、そのＰＯＳ端末１が置いてある店で特に使ってもらいたいサービスを、お勧めサービスとして前記のハードディスク装置に記憶している使えるサービスに付加して記憶している。
【００１６】
次に、このＰＯＳ端末１が実行するソフトウェアを説明する。まず、鍵スイッチ３が休止モードか否かを判断する（Ａｃｔ１）。休止モードでなければ、その鍵スイッチ３の位置によって、各モードの処理を実行する（Ａｃｔ２）。この各モードとは、前述したような設定モード、登録モードなどである。休止モードであれば、電子マネー残高を確認できることを客側表示機９に表示し（Ａｃｔ４）、ＩＣカードリーダライタ１０を動作させる（Ａｃｔ５）。次に、客が保持する携帯電話２８に内蔵されたＩＣチップ２９をＩＣカードリーダライタ１０で認識したならば、ＩＣチップ２９内の電子マネーリストを取得して（Ａｃｔ６）、どのサービスが使えるかを認識するとともに、未使用のサービスを認識する（Ａｃｔ７）。そして、サービスに対応した通信プロトコルで電子マネーの残高をＩＣチップ２９から取得し（Ａｃｔ８）、取得した残高を客側表示機９に表示する（Ａｃｔ９）。このときに、未使用のサービスについても、サービスが利用されてない表示を表示機に行ってもよいし、このＰＯＳ端末が置かれている店が利用を促進したい電子マネーが使われてない場合だけ、その電子マネーが未使用の表示を行ってもよい。残高が表示されてから所定時間後したならば（Ａｃｔ１０）、Ａｃｔ１における鍵スイッチ３のモードを確認する処理に戻る。
【００１７】
読み取ったサービスの電子マネーの表示例を図５に示す。画面には、店名とともに、ＩＣチップ２９内に記憶されている各サービスの残高が表示される。また、残高に合わせてカード番号も同時に表示されている。この例では、３つのサービスの残高が表示されている。
【００１８】
店員は、鍵スイッチ３を登録モードにして、商品の販売を行うことができるようにする。登録モードでは、客が販売カウンターまで持ってきた商品に付されたバーコードをバーコードリーダ７で読み取ると、サーバ２３に単価を問い合わせて店側表示機２と客側表示機９に商品名や単価を表示する。すべての商品のバーコードの読み取りが終わったら、店員はキーボード５の合計キーを押して商品の合計金額を店側表示機２と客側表示機９に表示する。客はその合計金額を現金あるいは電子マネーで支払う。電子マネーで支払う際には、客面表示機９に表示されるサービスの中で客が支払いを行いたいサービスを客が指定して、客が所有する携帯電話等のＩＣチップ２９部分をカードリーダライタ１０に接触または１センチ程度まで接近させる。ＩＣカードリーダライタ１０はこのＩＣチップ２９から指定されたサービスの電子マネー残高を読み取る。ＰＯＳ端末１は、この読み取った金額から電子的に金銭の授受を行って決済を行い、ＩＣチップ２９内の残高情報を書き換える。決済が行われたら、このＰＯＳ端末１は売り上げに関する情報をレシートに印刷する。店員は、レシート排紙口６から排紙されたレシートを客に渡す。
【００１９】
店内の商品の補充などのために、店員がＰＯＳ端末１から離れるときには、店員は鍵スイッチ３を休止モードとして鍵スイッチ３から鍵を抜き取る。休止モードにおいてＰＯＳ端末１は、キー４が入力されてもこの入力を無視する。また、バーコードを読み取っても、その読み取ったデータについて、サーバ２３に商品単価の問い合わせを行わない。そして、この休止モードにされると、客側表示機９に携帯電話で使える電子マネーサービスの残高を確認できることの表示を行う。この表示は、たとえば１０秒ごとに切り替わる表示内容の一つの画面としてもよいし、キャンペーンや特売情報のお知らせ画面と同時に目立つように表示するようにしてもよい。
【００２０】
この休止モードの状態で、客は電子マネー対応の携帯電話をＩＣカードリーダライタ１０に接触または近接させると、ＰＯＳ端末１はどこのサービスの電子マネーが使えるかを確認するために、ＩＣチップ２９から利用できるサービスのリストを取得する。そして、取得できた電子マネーについて、その残高をＩＣチップ２９から読み取って、客側表示機９に表示する。この表示がなされてからたとえば１０秒とか２０秒程度表示されたらば、休止モードか否かの判断に戻り、依然として休止モードであれば電子マネーの残高が確認できる表示に、他のモードになっていれば他のモードの初期画面に切り替わるので、表示されていた残高情報は画面から消える。
【００２１】
この店で使える電子マネーのサービスで、残高照会でＩＣチップ２９にインストールされていないサービスがあった場合には、インストールされてないサービスがこの店で使えることを表示することができる。たとえば、「△△△は、当店で使えます。」のような表示をすることで、その店が推奨する電子マネーのサービスをアピールすることができる。また、この場合には、表示機またはレシート用紙に、携帯電話が認識可能な２次元コード等によりそのアクセス先のＵＲＬを表示または印字することで、携帯電話の所有者が簡単に利用を促進するサービスが利用できるようになる。
【００２２】
コンビニエンスストアでは、店内に数台のＰＯＳ端末１が置かれているが、昼食時などの混雑時以外では、すべてのＰＯＳ端末１を使用せずに、２台から３台程度のＰＯＳ端末を使用しているだけである。このため、他の販売に使用していないＰＯＳ端末１では、客側表示機９にそのコンビニエンスストアや店独自のキャンペーン情報を表示したり、お買い得の商品情報を表示したりしている。そこで、この実施の形態では、ＰＯＳ端末１が休止モードのときに、複数の電子マネーに対応した携帯電話のＩＣチップ２９からそのチップで使える、かつ、その店で取り扱うことができる電子マネーの残高情報をすべて読み取って客側表示機９にすべての電子マネーの残高を同時に表示する。このため、電子マネーの残高がすべて同時にわかるため、利用者がどの電子マネーで支払うかを簡単に決めることができる。
【００２３】
また、電子マネーのサービスは、それぞれ記憶している情報のフォーマットが異なるため、ＰＯＳ端末１でプロトコルを記憶していないサービスは、ＩＣチップ２９に電子マネーの情報があったとしても読み取れない。このため、このＰＯＳ端末１で利用できる電子マネーのサービスについてのみ、残高が表示されることになる。
【００２４】
なお、この実施の形態では、客側表示機９に電子マネーの残高を表示するときにカード番号を同時に表示しているが、カード番号は表示しなくてもよい。また、複数のサービスが記憶されているＩＣチップ２９を利用するものであれば、携帯電話２８に限らない。また、表示機に表示するだけでなく、電子マネーの残高をレシート用紙に印字するようにしてもよい。
【００２５】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１・・商品情報処理装置（ＰＯＳ端末）
２・・店側表示機
３・・鍵スイッチ
９・・客側表示機
１０・・ＩＣカードリーダライタ
【図１】
0005486564.tif 000002
【図２】
0005486564.tif 000003
【図３】
0005486564.tif 000004
【図４】
0005486564.tif 000005
【図５】
0005486564.tif 000006